(57)【要約】【課題】開封作業が容易で、また開封部分がきれいに形成され、内容物が外部に落ちることなどを防止することができる密封型封筒を提供する。【解決手段】本発明は、切開用の溝（２２）を持つスライディングファスナ（１３・１４）およびファスナを持つ密封形封筒に関する。スライディングファスナ（１３・１４）は、ファスナユニットが突出したファスナ本体（２０）を内側に延長させた延長部分（２１）に切開用溝（２２）を形成したファスナ（１３・１４）で構成する。密封形封筒は上記のファスナ（１３・１４）を上端開放部分の内面に付着して構成する。【選択図】図２
2011088671.tif 000002
【特許請求の範囲】
【請求項１】
開放されないファスナにおいて、ファスナ（１３）、（１４）の平行なるバンド状ファスナ本体（２０）を封筒内側に延長させて延長部分（２１）を形成し、この延長部分に長さ方向の切開用の溝（２２）を形成してなる切開用の溝を持つスライディングファスナ。
【請求項２】
合成樹脂封筒の開封端部に開放されないファスナを付着した封筒において、ファスナ（１３）、（１４）の平行なバンド状のファスナ本体（２０）に、封筒内側に延長部分（２１）を形成し、この延長された部分に切開用の溝（２２）を形成してなることを特徴とする密封用封筒。
【請求項３】
第２項において、切開用の溝（２２）はファスナの延長部（２１）の内面又は表面に形成したことを特徴とする密封用封筒。
【請求項４】
第２項において、切開用の溝（２２）は封筒の側壁に形成した開封用の溝（１５）と略一直線になるよう形成したことを特徴とする密封用封筒。
【請求項５】
第２項において、切開用の溝（２２）がレーザーによる方法又は機械的な方法で形成したことを特徴とする密封用封筒。
【発明の詳細な説明】
【技術分野】
【０００１】
本発明は、合成樹脂封筒の開封端部内面に付着したファスナ(Fastener)を有する合成樹脂封筒に関するもので、特に封筒内に内容物を入れてファスナを封した後、次に開封する時には一直線上に均一に切開するようにしてなるスライディングファスナ及びこのファスナを有する密封用合成樹脂封筒に関するものである。
【背景技術】
【０００２】
合成樹脂フィルムで構成された封筒の中には、開放端部にファスナを付着して封筒の開放端部を開閉させるように構成した封筒がある。このような封筒は、ファスナが容易に開閉するようになっているから、内部に収容された内容物を取り出した後に再度、別の内容物を封入することができるようになっている。
このような封筒は、再び使用するようにするために、ファスナが容易に開閉することができる。最近では重要な書類を第３者が取り出して見ることを防止する、又は陳列された商品を第３者が取り出して見ることができるのを防止するために容易には開封しないようにしたファスナを付着した封筒が開発された。
【０００３】
このような封筒は、本出願人の韓国実用新案登録出願第２００８−０００７５９６号の密封形スライドファスナを用いたものがある。上記した先出願考案によれば、バンド形ファスナ本体の底面に支持壁を突出させて支持壁に第1フック及び第2フックを持つファスナユニットを封筒の両側の側壁に付着するようなっている。このような封筒は封筒の内容物を取り出すために封筒の側面を切開しなくてはならなかった。このような密封形封筒は、ファスナが容易に開放されないから封筒を開放するためにはファスナ内部の封筒の側壁を切開しなくてはならなかった。
【０００４】
一般的に密封封筒は、封筒を開封する端部を切開するための開封用の溝が側壁の溶着部分の外側に形成してあって、この溝から開封が始まるようになっている。このような多くの開封用の溝を持つ封筒は、大部分のファスナがない密封封筒に利用されている。特に容易に開封しないファスナを持つ密封の場合には、ファスナを容易に開放することができないから、上記の開封用の溝がファスナの下部、即ち内容物が入り込こんでいる部分から切開するようにしなければならない。しかし開封する時には合成樹脂の特性上開封用の溝から切り裂きが始まるが、合成樹脂フィルムの木目を通って不規則に破裂する場合が現われ、内容物が液体の場合又は粉末である場合には内容物が周囲に落ちる可能性も現われた。
【発明の概要】
【発明が解決しようとする課題】
【０００５】
このような合成樹脂密封封筒の問題点を解消するために、開封用溝と一直線になる封筒側面の内面にレーザーで封筒を横切る溝を形成する方法が考慮された。しかしこのような方法は、溝が封筒の側面に形成されるから、封筒の側壁を弱化させて重い内容物を入れて持ち上げる時には溝の部分から破裂する問題点が現われた。
したがって封筒の側壁を弱化しなくても、封筒を開封するときも切開する部分が直線に切り裂くような技術が要求されている。
【０００６】
本発明の目的は、フアスナと平行なフアスナ本体を内側に広く延長させて、この延長部分に切開用の溝を形成して、開封する時に封筒の側壁が切開用の溝を通じて一直線に均一に切開するようにする切開用の溝を持つスライディングファスナと、このファスナを持つ密封用封筒を提供することである。
前述した本発明の目的は合成樹脂封筒の開封端部に付着されるファスナと平行である本体を一側に広く延長させて延長部分を形成し、延長部分に切開用溝を長さ方向に形成したファスナとこのファスナを持つ本発明の密封用封筒によって達成するのである。
【課題を解決するための手段】
【０００７】
本発明は、合成樹脂密封封筒の側壁に容易に開封されないファスナを付着してなる封筒であって、ファスナの本体一側に広く延長させた延長部分に切開用溝をファスナの長さ方向に形成してなる切開溝を持つスライディングファスナとこのファスナを包含する密封形封筒で構成される。
合成樹脂封筒は合成樹脂フィルムで構成され、左右側縁部と下端縁部は加熱融着によって接着される。上端縁部には開放端部を形成し、開放端部の側壁内側にはファスナを付着した。
【０００８】
前記ファスナは、バンド状本体と本体上面に突出されたファスナユニットで構成してなり、バンド状部分は加熱融着によって封筒側壁の内面に付着した。
前記ファスナは、容易に開封されないファスナで、このようなファスナは、例えば出願人の韓国実用新案登録出願第２００８−０００７５９６号に公開されたファスナである。
【０００９】
前記のファスナは、平行なバンド形態の本体にファスナユニットが突出し、支持側壁の一側には結合突起が併設して形成してあるから、容易には開放されないようになっている。
【００１０】
本発明によれば、前記ファスナを構成するファスナのバンド状本体が通常的なファスナよりも広く一側に延長され、この延長されたファスナの延長部分に長さ方向の切開用の溝が形成してある。
封筒の側壁縁部を構成する側面接着部分には、前記切開用の溝の両側縁部の対応する部分に開封用の溝が形成してあるから、封筒の側壁縁部の開封用の溝から切開を始めると直ちに切開用の溝に連結するようになっている。
【００１１】
前述した切開用の溝は機械的方法で形成することもでき、レーザビームを利用して形成することもできる。前述した切開用の溝は封筒と接着される表面に形成することもできるし、封筒内部に向く表面に形成することもできる。
必要によってはバンド状ファスナ本体の上端部と下端部を広く延長して上下延長部には各々の切開用の溝を形成することもできる。
【００１２】
このような本発明によれば、ファスナのバンド状本体が側壁より硬質に構成されてなる封筒を開封するため、開封用の溝を利用して封筒を開封するとき、硬質のファスナ本体が切開溝を通り一直線に切開するから、ファスナ側壁は破損されなく延長部分の溝上を一直線に切開するから作業が容易であり、切開部分の外観も美麗になる。
【００１３】
本発明によれば、封筒を開封するために切開する時、切開線が切開用の溝によって一直線に切開されるから切開作業が容易であり、切開線が一直線になって切開部分の外観が美麗になるほか、また内容物が散開される現状が現れない利点がある。
【図面の簡単な説明】
【００１４】
【図１】本発明の一実施形態の密封形スライディングファスナを持つ封筒を示した平面図である。
【図２】本発明の一実施形態の密封形スライディングファスナを持つ封筒のファスナを付着した部分を拡大した拡大断面図である。
【図３】本発明による封筒の他の形態を示した拡大断面図である。
【発明を実施するための形態】
【００１５】
本発明を図面によって詳細に説明すると、次の如くである。
図１及び図２によると、合成樹脂封筒は左・右側壁（１１）、（１２）に構成される封筒本体（１０）と封筒上端の解放された端部内面に付着した雌雄一対に構成されたファスナ（１３）、（１４）を包含する。
【００１６】
封筒の側壁縁部は、加熱融着によって密封されており、この加熱融着した接着部分に開封用の溝（１５）が形成してあるから、開封の時、容易に破れるようになっている。
本発明による封筒はファスナが容易に開封しないようになっており、ファスナを利用して開封されないから、内容物が収容部に収容されているファスナ下部から開封するようにした開封用の溝（１５）を封筒側縁部の接着部分（１６）に形成した。
【００１７】
図２は本発明による切開用の溝を持つファスナの断面図であって、ファスナ（１３）、（１４）は各々、平行なバンド状ファスナ本体（２０）を持っている。このファスナ本体は、封筒の内部側に延長した部分（２１）を持っており、延長部分（２１）には封筒側壁とファスナ本体が接着される接着部分（１７）に長さ方向の切開用の溝（２２）が形成されている。
【００１８】
図２によると、ファスナ（１３）、（１４）は加熱接着によって封筒の左右側壁（１１）、（１２）の内面に接着されている。
前記切開用の溝（２２）は封筒の側壁縁部に形成された開封用の溝（１５）と一直線になる位置に形成されている。
【００１９】
このような本発明によれば、容易に開放しないファスナ（１３）、（１４）を付着した封筒を開封するとき、開封用の溝（１５）から封筒を破ると封筒の左右側壁（１１）、（１２）より強靭な材質であるファスナ（１３）、（１４）の延長部（２１）に形成された切開用の溝（２２）に沿って封筒の側面が破れるから、切り裂き部分が一直線になるよう切開しながら開封する。
【００２０】
図３は本発明による封筒の他の形態を示すもので、封筒はファスナ（１３）の延長部（２１）に、切開用の溝（２２）の上下方に加熱融着による接着部分（２３）、（２４）を分離するように付着してなる。
【符号の説明】
【００２１】
１０封筒本体  １１・１２左右側壁  １３・１４ファスナ  １５開封用溝  １６接着部分  １７接着部分  ２０ファスナ本体  ２１延長部分  ２２切開用溝  ２３・２４接着部分
【図１】
2011088671.tif 000003
【図２】
2011088671.tif 000004
【図３】
2011088671.tif 000005